(57)【要約】【課題】給油対象部材への潤滑油の供給をより均等に行うことができる給油装置を得る。【解決手段】踏段チェーン１に潤滑油を供給する給油装置であって、潤滑油が流れ出る給油口６１１が形成されたノズル本体６１と、給油口６１１から流れ出る潤滑油を受け、受けた潤滑油が自重によって油落下端部６２２に向かって流れ、油落下端部６２２から潤滑油が落下する吸着体６２とを備え、吸着体６２は、繊維から構成された複数本の糸から構成され、油落下端部６２２は、糸の本数が減少することによって先細形状に形成されている。【選択図】図２
2014214777.tif 000002
【特許請求の範囲】
【請求項１】
給油対象部材に潤滑油を供給する給油装置であって、
潤滑油が流れ出る給油口が形成されたノズル本体と、
前記給油口から流れ出る潤滑油を受け、受けた潤滑油が自重によって油落下端部に向かって流れ、前記油落下端部から潤滑油が落下する吸着体と
を備え、
前記油落下端部は、先細形状に形成されていることを特徴とする給油装置。
【請求項２】
前記吸着体は、繊維から構成されていることを特徴とする請求項１に記載の給油装置。
【請求項３】
前記繊維は、ポリプロピレン繊維またはポリテトラフルオロエチレン繊維であることを特徴とする請求項２に記載の給油装置。
【請求項４】
前記吸着体は、前記繊維から構成された複数本の糸から構成されており、
前記油落下端部は、前記糸の本数が減少することによって先細形状に形成されていることを特徴とする請求項２または請求項３に記載の給油装置。
【請求項５】
前記吸着体は、前記ノズル本体に着脱可能に設けられていることを特徴とする請求項１から請求項４までの何れか一項に記載の給油装置。
【請求項６】
前記油落下端部に設けられ、直径が前記給油口の内径よりも小さい芯体をさらに備えたことを特徴とする請求項１から請求項５までの何れか一項に記載の給油装置。
【請求項７】
前記吸着体の流路方向中間部を絞る絞り部材をさらに備えたことを特徴とする請求項１から請求項６までの何れか一項に記載の給油装置。
【請求項８】
前記油落下端部の周囲を覆う保護部材をさらに備えたことを特徴とする請求項１から請求項７までの何れか一項に記載の給油装置。
【請求項９】
前記保護部材は、透明または半透明の材料から構成されていることを特徴とする請求項８に記載の給油装置。
【発明の詳細な説明】
【技術分野】
【０００１】
この発明は、給油対象部材に潤滑油を供給する給油装置に関する。
【背景技術】
【０００２】
従来、潤滑油が流れ出る給油口が形成されたノズル本体と、給油口の周囲を囲繞するカバーと、カバーの内周面を流れる潤滑油を給油口の真下に導いて落下させる油誘導体とを備えた給油装置が知られている。給油口から真下に落下した潤滑油は、そのまま、循環移動するチェーンに供給される。また、給油口から径方向外側へ飛び散った潤滑油は、カバーの内周面に付着し、カバーの内周面から油誘導体を通って給油口の真下に落下して、循環移動するチェーンに供給される（例えば、特許文献１参照）。
【先行技術文献】
【特許文献】
【０００３】
【特許文献１】特開２０００−１０９２８３号公報
【発明の概要】
【発明が解決しようとする課題】
【０００４】
しかしながら、潤滑油の粘度は、潤滑油の温度が低下するにつれて高くなる。これにより、例えば、冬季には、潤滑油の粘度が高くなることによって、潤滑油が給油口から滴状になって落下する場合がある。チェーンを循環移動させながら潤滑油をチェーンに供給するので、潤滑油が滴状になることによって、チェーンには、潤滑油が供給されない部分が発生し、チェーンへの潤滑油の供給を均等に行うことができないという問題点があった。
【０００５】
この発明は、給油対象部材への潤滑油の供給をより均等に行うことができる給油装置を提供するものである。
【課題を解決するための手段】
【０００６】
この発明に係る給油装置は、給油対象部材に潤滑油を供給する給油装置であって、潤滑油が流れ出る給油口が形成されたノズル本体と、給油口から流れ出る潤滑油を受け、受けた潤滑油が自重によって油落下端部に向かって流れ、油落下端部から潤滑油が落下する吸着体とを備え、油落下端部は、先細形状に形成されている。
【発明の効果】
【０００７】
この発明に係る給油装置によれば、潤滑油が流れ出る給油口が形成されたノズル本体と、給油口から流れ出る潤滑油を受け、受けた潤滑油が自重によって油落下端部に向かって流れ、油落下端部から潤滑油が落下する吸着体とを備え、油落下端部は、先細形状に形成されているので、潤滑油が給油口から滴状になって落下する場合に、吸着体が潤滑油を受け、先細形状に形成された油落下端部から潤滑油が落下する。滴状になって油落下端部から落下する潤滑油の粒の大きさは、滴状になって給油口から落下する潤滑油の粒の大きさよりも小さいので、給油対象部材に供給される潤滑油の粒の数を多くすることができる。その結果、給油対象部材への潤滑油の供給をより均等に行うことができる。
【図面の簡単な説明】
【０００８】
【図１】この発明の実施の形態１に係るエスカレータを示す側面図である。
【図２】図１の踏段チェーン用ノズルを示す正面図である。
【図３】図２のＩＩＩ−ＩＩＩ線に沿った矢視断面図である。
【図４】図２の踏段チェーン用ノズルを示す平面図である。
【図５】この発明の実施の形態２に係る踏段チェーン用ノズルを示す正面図である。
【図６】図５のＶＩ−ＶＩ線に沿った矢視断面図である。
【図７】この発明の実施の形態３に係る踏段チェーン用ノズルを示す正面図である。
【発明を実施するための形態】
【０００９】
実施の形態１．
図１はこの発明の実施の形態１に係るエスカレータを示す側面図である。図において、エスカレータは、踏段（図示せず）を循環移動させる踏段チェーン（給油対象部材）１と、踏段とともに循環移動する移動手摺２と、移動手摺２を駆動させる手摺駆動チェーン（給油対象部材）３と、踏段チェーン１および手摺駆動チェーン３に潤滑油を供給する給油装置４とを備えている。
【００１０】
給油装置４は、給油装置本体５と、踏段チェーン１に潤滑油を供給する踏段チェーン用ノズル６と、手摺駆動チェーン３に潤滑油を供給する手摺駆動チェーン用ノズル７と、給油装置本体５から踏段チェーン用ノズル６および手摺駆動チェーン用ノズル７のそれぞれに潤滑油を供給する一対のパイプ８とを有している。
【００１１】
給油装置本体５は、潤滑油を貯留するタンク（図示せず）と、タンクに貯留された潤滑油を組み上げるポンプ（図示せず）と、潤滑油が流れる流路を開閉する弁（図示せず）と、弁の開閉を制御する制御装置（図示せず）とを有している。制御装置は、給油時間を測定するためのタイマを含んでいる。以下、この例では、踏段チェーン用ノズル６について説明するが、手摺駆動チェーン用ノズル７についても同様である。
【００１２】
図２は図１の踏段チェーン用ノズル６を示す正面図、図３は図２のＩＩＩ−ＩＩＩ線に沿った矢視断面図、図４は図２の踏段チェーン用ノズル６を示す平面図である。踏段チェーン用ノズル６は、給油装置本体５（図１）から潤滑油が供給されるノズル本体６１と、ノズル本体６１に設けられた吸着体６２と、吸着体６２をノズル本体６１に固定する一対の結束体６３とを備えている。
【００１３】
ノズル本体６１には、潤滑油が流れ出る給油口６１１が形成されている。給油装置本体５からノズル本体６１に供給された潤滑油は、給油口６１１から流れ出る。給油口６１１から流れ出る潤滑油の形状は、温度が高い場合には糸状となり、温度が低い場合には滴状となる。
【００１４】
吸着体６２は、ノズル本体６１に取り付けられる取付部６２１と、取付部６２１よりも下方に位置する油落下端部６２２とを有している。給油口６１１から流れ出た潤滑油は、取付部６２１で受けられる。したがって、給油口６１１から流れ出る潤滑油の形状が滴状である場合であっても、給油口６１１から流れ出る潤滑油の粒の大きさのまま踏段チェーン１に供給されることが防止される。取付部６２１で受けられた潤滑油は、潤滑油の自重によって油落下端部６２２に向かって流れる。潤滑油は、吸着体６２の内部を通るようになっている。吸着体６２における潤滑油の流路は、給油口６１１に対向する吸着体６２の部分と油落下端部６２２との間の部分となる。油落下端部６２２に達した潤滑油は、油落下端部６２２から落下する。
【００１５】
吸着体６２は、繊維から構成された複数本の糸から構成されている。吸着体６２を構成する繊維は、ポリプロピレン繊維となっている。ポリプロピレン繊維を用いることによって、給油口６１１から吸着体６２に潤滑油が供給された時から、油落下端部６２２から潤滑油が落下する時までの時間を長くすることができる。なお、吸着体６２を構成する繊維は、これらに限らず、例えば、ポリテトラフルオロエチレン繊維であってもよい。ポリテトラフルオロエチレン繊維を用いることによって、給油口６１１から吸着体６２に潤滑油が供給された時から、油落下端部６２２から潤滑油が落下する時までの時間を短くすることができる。つまり、ポリテトラフルオロエチレン繊維を用いることによって、油落下端部６２２から潤滑油を即応的に落下させることができる。繊維は、長繊維または短繊維の何れであってもよい。
【００１６】
油落下端部６２２は、先細形状に形成されている。つまり、油落下端部６２２の先端部における直径は、給油口６１１の内径よりも小さくなっている。油落下端部６２２は、端部に向かうにつれて繊維の本数が減少することによって先細形状に形成されている。
【００１７】
滴状となった潤滑油の粒の大きさは、潤滑油が流れ出る部分の周囲長と潤滑油の表面張力とによって決定される。したがって、油落下端部６２２の先端部における直径が、給油口６１１の内径よりも小さくすることによって、油落下端部６２２から滴状となって落下する潤滑油の粒の大きさは、給油口６１１から滴状となって落下する潤滑油の粒の大きさよりも小さくなる。その結果、給油口６１１から滴状となって落下する潤滑油の粒の数よりも、油落下端部６２２から滴状となって落下する潤滑油の粒の数を多くすることができる。
【００１８】
それぞれの結束体６３は、紐から構成されている。結束体６３によって、取付部６２１がノズル本体６１に固定される。したがって、吸着体６２は、結束体６３を用いてノズル本体６１に着脱可能に設けられている。
【００１９】
以上説明したように、この発明の実施の形態１に係る給油装置４によれば、潤滑油が流れ出る給油口６１１が形成されたノズル本体６１と、給油口６１１から流れ出る潤滑油を受け、受けた潤滑油が自重によって油落下端部６２２に向かって流れ、油落下端部６２２から潤滑油が落下する吸着体６２とを備え、油落下端部６２２は、先細形状に形成されているので、潤滑油が給油口６１１から滴状になって落下する場合に、吸着体６２が潤滑油を受け、先細形状に形成された油落下端部６２２から潤滑油が落下する。滴状になって油落下端部６２２から落下する潤滑油の粒の大きさは、滴状になって給油口６１１から落下する潤滑油の粒の大きさよりも小さいので、踏段チェーン１に供給される潤滑油の粒の数を多くすることができる。その結果、踏段チェーン１への潤滑油の供給をより均等に行うことができ、潤滑油の供給量が不足することによって生じる踏段チェーン１の摩擦を低減させることができる。また、潤滑油を供給するためのポンプの圧力を調整することなく、踏段チェーン１への潤滑油の供給を均等に行うことができるので、給油装置４のメンテナンスを容易化させることができる。また、踏段チェーン１へ供給される潤滑油の量を増加させることなく、踏段チェーン１への潤滑油の供給を均等に行うことができるので、潤滑油の飛散を抑制することができる。また、踏段チェーン１へ供給される潤滑油の量を増加させることなく、踏段チェーン１への潤滑油の供給を均等に行うことができるので、潤滑油の供給量を抑制することができ、廃油の処理周期を長期化させることができる。
【００２０】
また、吸着体６２は、繊維から構成されているので、滴状になって給油口６１１から落下する潤滑油を確実に吸着することができる。その結果、潤滑油が給油口６１１から滴状になって落下する場合に、そのままの形状で潤滑油が踏段チェーン１へ供給されることをより確実に抑制することができる。
【００２１】
また、吸着体６２を構成する繊維は、ポリプロピレン繊維であるので、給油口６１１から吸着体６２に潤滑油が供給された時から、油落下端部６２２から潤滑油が落下する時までの時間を長くすることができる。
【００２２】
また、吸着体６２は、繊維から構成された複数本の糸から構成されており、油落下端部６２２は、端部に向かうにつれて糸の本数が減少することによって先細形状に形成されているので、油落下端部６２２の形状を先細形状に容易に形成することができる。
【００２３】
また、吸着体６２は、ノズル本体６１に着脱可能に設けられているので、吸着体６２を容易に交換することができ、また、既設のノズル本体６１に容易に吸着体６２を取り付けることができる。
【００２４】
実施の形態２．
図５はこの発明の実施の形態２に係る踏段チェーン用ノズル６を示す正面図、図６は図５のＶＩ−ＶＩ線に沿った矢視断面図である。踏段チェーン用ノズル６は、ノズル本体６１に設けられた固定部材６４と、油落下端部６２２の周囲を覆う保護部材６５と、保護部材６５に設けられた絞り部材６６とをさらに備えている。
【００２５】
固定部材６４は、円筒形状に形成されている。固定部材６４は、給油口６１１が固定部材６４の先端部から突出するようにノズル本体６１に取り付けられている。固定部材６４は、ノズル本体６１がノズル本体６１における給油口６１１側の部分から固定部材６４の内側に挿入されるように、固定部材６４をノズル本体６１に押し込むことによって、ノズル本体６１に容易に取り付けることができる。また、固定部材６４は、固定部材６４の内側からノズル本体６１が引き抜かれるように、固定部材６４をノズル本体６１から引き抜くことによって、ノズル本体６１から容易に取り外すことができる。つまり、固定部材６４は、ノズル本体６１に対して容易に着脱可能となっている。固定部材６４には、吸着体６２が取り付けられている。したがって、固定部材６４をノズル本体６１に着脱することによって、吸着体６２をノズル本体６１に容易に着脱することができる。
【００２６】
保護部材６５は、円筒形状に形成されている。保護部材６５は、吸着体６２の全体が保護部材６５の内側に配置されるように、固定部材６４を介してノズル本体６１に取り付けられている。保護部材６５は、透明または半透明の材料から構成されている。保護部材６５は、固定部材６４がノズル本体６１に取り付けられている状態で、吸着体６２が油落下端部６２２から保護部材６５の内側に挿入されるように、保護部材６５をノズル本体６１に押し込むことによって、ノズル本体６１に容易に取り付けることができる。また、保護部材６５は、保護部材６５の内側から吸着体６２が引き抜かれるように、保護部材６５をノズル本体６１から引き抜くことによって、ノズル本体６１から容易に取り外すことができる。つまり、保護部材６５は、ノズル本体６１に対して容易に着脱可能となっている。
【００２７】
絞り部材６６は、保護部材６５の内周面に取り付けられている。絞り部材６６は、吸着体６２における潤滑油の流路方向中間部を絞っている。これにより、絞り部材６６よりも油落下端部６２２側の吸着体６２の部分全体に潤滑油を浸透させることができる。その他の構成は、実施の形態１と同様である。
【００２８】
以上説明したように、この発明の実施の形態２に係る給油装置４によれば、吸着体６２の流路方向中間部を絞る絞り部材６６を備えているので、絞り部材６６よりも油落下端部６２２側の吸着体６２の部分全体に潤滑油を浸透させることができる。これにより、吸着体６２が潤滑油をより確実に吸収することができる。
【００２９】
また、給油装置４は、油落下端部６２２の周囲を覆う保護部材６５を備えているので、油落下端部６２２に外部から風または異物が衝突することを防止することができる。これにより、踏段チェーン１に潤滑油をより確実に供給することができる。
【００３０】
また、保護部材６５は、透明または半透明の材料から構成されているので、作業者は、保護部材６５の外側から油落下端部６２２を目視することができる。
【００３１】
実施の形態３．
図７はこの発明の実施の形態３に係る踏段チェーン用ノズル６を示す正面図である。図において、踏段チェーン用ノズル６は、油落下端部６２２に設けられた芯体６７と、芯体６７を油落下端部６２２に固定するための結束糸６８とをさらに備えている。
【００３２】
芯体６７は、直径が給油口６１１の内径よりも小さくなっている。油落下端部６２２から落下した潤滑油は、芯体６７を通って落下する。その他の構成は、実施の形態１と同様である。なお、実施の形態２に記載のように、固定部材６４、保護部材６５および絞り部材６６をさらに備えてもよい。
【００３３】
以上説明したように、この発明の実施の形態３に係る給油装置４によれば、油落下端部６２２に設けられ、直径が給油口６１１の内径よりも小さい芯体６７を備えているので、滴状になって芯体６７から落下する潤滑油の粒の大きさを、滴状になって給油口６１１から落下する潤滑油の粒の大きさよりも小さくすることができる。
【００３４】
なお、各上記実施の形態では、給油対象部材として、エスカレータの踏段チェーン１および手摺駆動チェーン３を例に説明したが、動く歩道における踏段チェーンおよび手摺駆動チェーンであってもよく、また、エレベータの主ロープなど潤滑油が供給される部材であってもよい。
【００３５】
また、各上記実施の形態では、繊維から構成された複数本の糸から吸着体６２が構成されている例について説明したが、これに限らず、繊維から構成されたフェルトから吸着体６２が構成されてもよい。この場合、吸着体６２は、油落下端部６２２が先細形状となるようにカットされる。
【符号の説明】
【００３６】
１  踏段チェーン、２  移動手摺、３  手摺駆動チェーン、４  給油装置、５  給油装置本体、６  踏段チェーン用ノズル、７  手摺駆動チェーン用ノズル、８  パイプ、６１  ノズル本体、６２  吸着体、６３  結束体、６４  固定部材、６５  保護部材、６６  絞り部材、６７  芯体、６８  結束糸、６１１  給油口、６２１  取付部、６２２  油落下端部。
【図１】
2014214777.tif 000003
【図２】
2014214777.tif 000004
【図３】
2014214777.tif 000005
【図４】
2014214777.tif 000006
【図５】
2014214777.tif 000007
【図６】
2014214777.tif 000008
【図７】
2014214777.tif 000009